(57)【要約】【課題】セメント構造体強化構造の提供。【解決手段】一種のセメント構造体強化構造、主にセメントに若干の強化単元体を混入する。該強化単元体は極めて軽量、任意の頑丈材質の条片構造である。該強化単元体の軸方向末端部に延ばして強化板材を設け、該強化板材は強化単元体本体の放射方向に分布する。強化単元体本体に備える放射方向に分布する複数の強化板材は二組に分ける。そのうち、一組の強化板材は強化単元体の軸方向に沿って同一角度、かつ、一定間隔を置いて設ける。もう一組の強化板材は、隣り合う強化板材の間に一定間隔を置いた場所に、強化単元体を放射方向のある角度を並べて、強化単元体の軸方向をもう一つの同一角度にて、向かい合わせて設ける特徴を有する。【選択図】図３
0003123574.tif 000002
【実用新案登録請求の範囲】
【請求項１】
セメントに若干の強化単元体を混入し、該強化単元体は極めて軽量、任意の頑丈材質の条片構造であり、該強化単元体の軸方向末端部に延ばして複数の強化板材を設け、該強化板材は強化単元体本体の放射方向に分布し、
複数の強化板材は二組に分け、一組の強化板材は強化単元体の軸方向に沿って同一角度、一定間隔を置いて設け、もう一組の強化板材は、隣り合う強化板材の間に一定間隔を置いた場所に、強化単元体を放射方向のある角度を並べて、強化単元体の軸方向をもう一つの同一角度にて、向かい合わせて設ける特徴を有する、一種のセメント構造体強化構造。
【請求項２】
該いずれの強化板材は隣り合う強化板材との間は、互いに垂直角度に設けることが好ましいことを特徴とする請求項１記載のセメント構造体強化構造。
【考案の詳細な説明】
【技術分野】
【０００１】
本考案はセメント構造体強化構造、特に一種の鉄筋数がやや不足し、セメントを成型主体とする構造体強度に影響するが、鉄筋の数を追加することなく、セメント、すなわち、セメントを成型主体とする構造体の強度向上を図る。
【背景技術】
【０００２】
セメントは各種工事構造体の必需建材である。しかしながら、構造成型の働きはあるものの、構造体強度を持たない。よって、建造物と橋梁など各種の大型工事のセメント部材に鉄筋を配筋し、セメントの構造強度を向上する。配筋数は、工事作業者が一定の公式に基づいて算出する。しかし、現代の建造物の形式は多くあり、異なる角度に違う受力強度がある。よって、一定の公式で配筋数を算出することには、誤差が生じかねない。また、配筋数の不足や品質の劣る鉄筋を使用すると、建造物の構造強度を弱まり、建造物の倒壊および人間の死傷事故になりかねない。このようなことは、特に地震による災害で顕著化になる。通常、工事現場には工事補強するための加工成型済み鉄筋を用意していない。セメントの注入は、配筋および固定した後に行う。このため、配筋数不足の場合において、セメント注入と同時に補強することは、業者の最も重要な課題である。
【０００３】
図１と図２に示すものは、本考案者がこの課題について、種々に研究および努力した結果、考案を出願し、考案文献１、一種のセメント構造体強化構造を許可された。この考案において、考案請求範囲は、以下のとおりである、
（１）一種セメント構造体強化構造、主にセメントに若干の強化単元体１０を混入し、該強化単元体１０の軸方向の末端に延ばして強化板材１１、１２、１３、１４などを形成する。一方、該強化板材１１、１２、１３、１４は強化単元体１０の本体に沿って分布するほか、いずれの強化板材１１、１２、１３、１４は強化単元体１０の放射方向の異なる角度に設ける、
（２）該強化単元体１０は極めて軽量、任意の頑丈材質の条片構造であることを特徴とする請求項１記載のセメント構造体強化構造、
（３）該強化単元体１０は金属の条片構造であることを特徴とする請求項１または請求項２記載のセメント構造体強化構造。
【０００４】
前記考案による構造セメント成型の構造を強化させ、各種のセメント成型工事にある程度の構造強度をもたせて、外力の衝撃による衝撃、加圧による破損を防止する効果がある。
【０００５】
しかしながら、本考案人は該強化単元体１０の軸方向末端部に延ばして形成する強化板材１１、１２、１３、１４は、強化単元体１０本体に沿って分布する。ことに、各強化板材１１、１２、１３、１４は強化単元体１０放射方向の異なる角度に分布する。このため、各強化単元体１０はその放射方向に角度の異なる強化板材１１、１２、１３、１４を製作するときに、強化単元体１０の放射方向に第１強化板材１１を作製した後、第２強化板材１２を作製するときに、該強化単元体１０を放射方向にある角度を配列して、第１強化板材１１と異なる角度第２強化板材１２を作製しなければならない。さらに、第３強化板材１３を作製するときに、同じく強化単元体１０を別の適切な角度に配列してから、第２強化板材１２と異なる角度第３強化板材１３を作製する。そして、第４強化板材１４を作製するとき、強化単元体１０はふたたび、もう一つの適切な角度に配列しなければならない。このような類推により、同じ強化単元体１０に、強化板材１１、１２、１３、１４を強化単元体１０の放射方向に異なる角度分布構造を実現する。このため、各強化単元体１０の製作工程における複雑度を形成し、強化単元体１０の製造コスト高の欠点を残る。改善の必要がある。
【０００６】
【特許文献１】台湾考案第２２１３３４号明細書
【考案の開示】
【考案が解決しようとする課題】
【０００７】
本考案は、前記のセメント構造体強化構造の課題について、再研究により、改善された考案である。一種のセメント構造体強化構造、主にセメントに若干の強化単元体を混入する。該強化単元体は極めて軽量、任意の頑丈材質の条片構造である。該強化単元体の軸方向末端部に延ばして強化板材を設け、該強化板材は強化単元体本体の放射方向に分布する。強化単元体本体に備える放射方向に分布する複数の強化板材は二組に分ける。そのうち、一組の強化板材は強化単元体の軸方向に沿って同一角度、かつ、一定間隔を置いて設ける。もう一組の強化板材は、隣り合う強化板材の間に一定間隔を置いた場所に、強化単元体を放射方向のある角度を並べて、強化単元体の軸方向をもう一つの同一角度にて、向かい合わせて設けることを本考案の主な目的とする。
【課題を解決するための手段】
【０００８】
請求項１の考案は、セメントに若干の強化単元体を混入し、該強化単元体は極めて軽量、任意の頑丈材質の条片構造であり、該強化単元体の軸方向末端部に延ばして複数の強化板材を設け、該強化板材は強化単元体本体の放射方向に分布し、
複数の強化板材は二組に分け、一組の強化板材は強化単元体の軸方向に沿って同一角度、一定間隔を置いて設け、もう一組の強化板材は、隣り合う強化板材の間に一定間隔を置いた場所に、強化単元体を放射方向のある角度を並べて、強化単元体の軸方向をもう一つの同一角度にて、向かい合わせて設ける特徴を有する、一種のセメント構造体強化構造としている。
請求項２の考案は、該いずれの強化板材は隣り合う強化板材との間は、互いに垂直角度に設けることが好ましいことを特徴とする請求項１記載のセメント構造体強化構造としている。
【考案の効果】
【０００９】
本考案はセメント構造体強化構造、主にセメントに若干の強化単元体を混入する。該強化単元体は極めて軽量、任意の頑丈材質の条片構造である。該強化単元体の軸方向末端部に延ばして強化板材を設け、該強化板材は強化単元体本体の放射方向に分布する。強化単元体本体に備える放射方向に分布する複数の強化板材は二組に分ける。そのうち、一組の強化板材は強化単元体の軸方向に沿って同一角度、かつ、一定間隔を置いて設ける。もう一組の強化板材は、隣り合う強化板材の間に一定間隔を置いた場所に、強化単元体を放射方向のある角度を並べて、強化単元体の軸方向をもう一つの同一角度にて、向かい合わせて設けることを本考案の主な目的とする。
【考案を実施するための最良の形態】
【００１０】
図３、図４に示すとおり、本考案によるセメント構造体強化構造は主に、セメントに若干の強化単元体１５を混入する。該強化単元体１５は極めて軽量、任意の頑丈材質の条片構造である。該強化単元体１５の軸方向末端部に延ばして強化板材１６、１７を設ける。強化単元体１５本体に備える放射方向に分布する複数の強化板材１６、１７は二組に分ける。そのうち、一組の強化板材１６は強化単元体１５の軸方向に沿って同一角度、かつ、一定間隔を置いて設ける。もう一組の強化板材１７は、そのグループの強化板材１６と隣り合う強化板材１６の間に一定間隔を置いた場所に、強化単元体１５を放射方向９０度の一定角度に配列して、強化単元体１５の軸方向をもう一つの同一角度にて、向かい合わせて設ける特徴を有する。
【００１１】
よって、それぞれの強化単元体１５は、その放射方向に沿って複数の強化板材１６、１７を作製するとき、強化単元体１５をまとめて、その軸方向に一定間隔を置いて、複数の同一角度の強化板材１６を作製した後、強化単元体１５を放射方向９０度の一定角度に配列することにより、同じくまとめて作製した強化板材１６に設定された間隔場所に設ける。さらに、その軸方向に沿って複数の強化板材１６と９０度の一定角度に配列された強化板材１７作製することで、各強化単元体１５の製作を完了する。作製の簡素化と迅速化により、製作工程の簡素化およびコスト効果を実現できる。
【００１２】
この方法により、攪拌後のセメントは一定の濃度を有し、強化単元体１５は極めて軽量の性質を有する。攪拌後のセメントを打設すると同時に強化単元体１５をセメントに均一に混合しておく、セメントが固まり成型したとき、該強化単元体１５の強化板材１６、１７は強化単元体１５の放射方向に沿って分布する過程で、各強化板材１６は隣り合う強化板材１７とは９０度の一定角度に設けられる。本考案人以前に考案した強化単元体１０の軸方向末端部に延ばして強化板材１１、１２、１３、１４を設け、強化単元体１０の放射方向に異なる角度を設けるものと異なる。さらに、セメントが固まり成型するときに均一に混合されているため、任意の異なる角度により、セメントと接触する（図４）。よって、若干数の強化単元体１５の介在により、セメント成型構造を強化させ、セメント成型工事に一定の強度を形成し、外力の衝撃、加圧による破損を防止できる。
【図面の簡単な説明】
【００１３】
【図１】本考案人以前に開発した構造の立体外観概略図である。
【図２】本考案人以前に開発した構造実施態様概略図である。
【図３】本考案による構造の立体外観概略図である。
【図４】本考案による構造概略図である。
【符号の説明】
【００１４】
１０、１５  強化単元体
１１、１２、１３、１４、１６、１７  強化板材
【図１】
0003123574.tif 000003
【図２】
0003123574.tif 000004
【図３】
0003123574.tif 000005
【図４】
0003123574.tif 000006